(57)【特許請求の範囲】
【請求項１】
暗号化された情報を記録媒体に記録し、該記録媒体から再生する情報記録再生装置であって、
装置を識別するための装置固有の識別コードを記憶する記憶手段と、
情報を前記識別コードに関連付けて暗号化する暗号化手段と、
前記暗号化された情報を前記記録媒体に記録し、前記記録媒体から情報を再生する記録再生手段と、
前記記録再生手段にて再生された暗号化された情報が前記記憶手段に記憶されている前記識別コードと同一の識別コードに関連付けて暗号化されている場合にのみ前記情報の復号化を可能とする復号化手段と、
前記復号化手段で復号化された情報にコピーガード処理を施して出力する出力手段と、
を備えたことを特徴とする情報記録再生装置。
【請求項２】
前記情報は映像信号であり、前記コピーガード処理はモニタには同期するがＶＴＲ等には同期しないように映像信号の同期信号部分に処理を施すことを特徴とする請求項１に記載の情報記録再生装置。
【請求項３】
暗号化された情報を記録媒体に記録し、該記録媒体から再生する情報記録再生方法であって、
記録時には、情報を、装置を識別するための装置固有の識別コードに関連付けて暗号化し、
前記暗号化された情報を前記記録媒体に記録し、
再生時には、前記暗号化された情報を前記記録媒体から再生し、
再生された暗号化された情報が前記識別コードと同一の識別コードに関連付けて暗号化されている場合にのみ前記情報を復号化し、
前記復号化された情報にモニタによる表示は可能であるがＶＴＲ等への記録は不可能となるコピーガード処理を施して出力することを特徴とする情報記録再生方法。
【請求項４】
前記情報は映像信号であり、前記コピーガード処理はモニタには同期するがＶＴＲ等には同期しないように映像信号の同期信号部分に処理を施すことを特徴とする請求項５に記載の情報記録再生方法。
【発明の詳細な説明】
【０００１】
【産業上の利用分野】
本発明は、双方向通信ケーブルや、地上波、衛星波、電話回線等を用いて、例えば番組リクエスト、ホームショッピング等を行う多チャンネル番組通信サービスにおいて、映像信号などの情報を好適に記録再生するための情報記録再生装置および方法に関する。
【０００２】
【従来の技術】
近年、ＶＨＦ帯、ＵＨＦ帯の電波を用いて各家庭に番組映像を送信する従来の地上放送の他に、中継局から各家庭まで同軸ケーブル、光ファイバ等のケーブルを設置し、そのケーブルを用いて番組映像を直接送信する有線放送が各地に普及しつつある。特に、最近では通信衛星、放送衛星等を使用した番組送信が可能になったため、多チャンネルサービスを提供する有線放送会社が多数設立されつつある。
【０００３】
又、光ファイバ技術、ディジタル伝送技術、高能率符号化技術の進展に伴い、ホームショッピングや、ビデオ・オン・デマンド（Ｖideo Ｏn Ｄemand：以下、ＶＯＤと略す。）と呼ばれる、双方向通信ケーブルを用いて番組リクエストにより好みの時間に好みの番組を視聴する、レンタルビデオに変わる娯楽番組配給システム等の通信サービスの研究が進められている。
【０００４】
これらの有線放送やＶＯＤのシステムは、映像信号の送信を同軸ケーブル等を用いた有線通信で行うため、従来の地上波を用いた番組放送に見られた、ゴースト等の電波障害を生じない。又、地上波で配給される通常番組放送の再送信番組の他に番組配給会社独自の放送が利用できる、等の利点がある。
【０００５】
【発明が解決しようとする課題】
各視聴者は有線放送会社、ＶＯＤ等のサービス供給会社等と契約を結び、専用受信端末を各自のＴＶ等の映像信号表示装置に接続する。これにより、有線放送会社、又はサービス供給会社により配給される地上波放送の再送信番組を電波障害なく視聴することができる。更に、劇映画、各種スポーツ中継、音楽番組等の有線放送会社、サービス供給会社による独自放送が、又、衛星放送等が有線放送受信用の専用端末以外の特別な機器を備えずとも視聴可能となる。更に、専用端末にＶＴＲ等の映像信号記録再生装置を接続することにより、配給番組を記録保存することも可能となる。
【０００６】
一方、サービス供給会社は受信契約を結んだ視聴者に対してのみ番組映像を送信するものである。このため、サービス供給会社側としては、受信料金を徴収可能な契約視聴者のみ番組映像の視聴が可能になることが望ましい。即ち、非契約者がこのサービス供給会社の配給番組映像を不正に視聴可能なシステムは好ましくない。しかし、従来のシステムではサービス供給会社の配給番組を受信する専用受信端末からの出力映像信号は平易なものである。即ち、専用端末無しに番組の受信を行うことはできないが、ＶＴＲ等を用いて専用端末出力映像の複写を行い、その複写テープを第３者に譲渡することにより、専用端末を持たない第３者も容易に配給番組の視聴が可能となる。即ち、非契約者等に対し番組映像の不正な視聴を防止することができない。このように配給番組映像の複写による不正受信が頻繁に行われた場合、番組配給会社、番組の著作権者等に多大な不利益を生じる。
【０００７】
本発明は、以上のような配給番組映像の不正な複写による、著作権者等の不利益、減収を防止し、かつ契約視聴者に対する有料番組受信料金の課金を滞りなく、確実に行う事が可能なシステムの提供を目的とする。
【０００８】
【課題を解決するための手段】
上記の目的を達成するため本発明による情報記録再生装置は、暗号化された情報を記録媒体に記録し、記録媒体から暗号化された情報を再生する記録再生手段と、再生された暗号化された情報を復号化する復号化手段と、復号化された情報にコピーガード処理を施して出力する出力手段と、を備えた構成とする。また本発明による情報再生装置は、記録媒体から暗号化された情報を再生する再生手段と、再生された暗号化された情報を復号化する復号化手段と、復号化された情報にコピーガード処理を施して出力する出力手段と、を備えた構成とする。
【０００９】
本発明による情報記録再生方法は、記録時には、暗号化された情報を記録媒体に記録し、再生時には、記録媒体から再生された情報を復号化し、復号化された情報にコピーガード処理を施して出力するものである。また本発明による情報再生方法は、暗号化された情報を記録媒体から再生し、再生された暗号化された情報の復号化を行い、復号化された情報にコピーガード処理を施して出力するものである。
【００１０】
【作用】
本システムによれば、非契約者、及び自ら配給番組の受信を行わない契約者に対して配給番組の不正な視聴を防止でき、即ち、番組配給会社、番組の著作権者等の不利益を防止することができる。
【００１６】
【実施例】
次に本発明の１実施例を図を用いて説明する。
【００１７】
図１は有線放送により送信される配給番組映像を本発明によるシステムを用いて表示する場合の例であり、図中（Ａ）、（Ｂ）はそれぞれ対をなす１次端末、及び２次端末である。
【００１８】
図１の説明を行う前に、図６を用いて有線放送システムについて簡単に説明する。図６において、６００は有料番組等を制作、配給する番組配給会社、６１０は通信衛星（又は、放送衛星）、６２０は有線放送中継局、６３０は中継局と各契約家庭とを直接結ぶ、同軸ケーブル、光ファイバ等の通信ケーブル、６４１、６４２、６４３、６４４等はそれぞれ、有線放送受信用の専用端末を有する契約家庭である。
【００１９】
有線放送方式では、配給番組はまず番組供給会社６００等から通信衛星（又は、放送衛星）６１０等を経由して、あるいは地上波を用いて中継局６２０へ送信される。中継局６２０では、番組供給会社から送信されてきた映像信号を高感度大型アンテナで受信する。この中継局６２０では、映像信号の受信に専用の高感度大型アンテナを用いるため、電波障害等の信号劣化を大きく生じない。中継局６２０は受信した映像信号をケーブル６３０を用いて、各契約家庭６４１〜６４４に設置されている、図１に示す有線放送受信端末に送信する。
【００２０】
ここで、中継局から各契約家庭に送信される映像信号のデータ構成の１例を図２を用いて説明する。
【００２１】
図２は本実施例において中継局から送信されるディジタル伝送データの１例であり、図２において、２００は送信される番組映像の各種情報を持つ番組情報や、圧縮映像データの復号に必要なキー信号等を含むデータヘッダ部、２１１、２１２等は圧縮映像データ部、２２１、２２２等は送信先の端末において映像信号を正しく受信できたかどうかを確認するためのエラーチェック用パリティ部である。
【００２２】
本実施例では、１例としてデータヘッダ部をｎバイト、圧縮映像データ部をｍバイト、パリティ部をｌバイトで構成する。ここで、ｎ、ｍ、ｌは任意の自然数であり、それぞれ、ｎは数バイトから１０数バイト程度、ｍは数１００バイトから数１０００バイト程度、ｌは数バイト程度のディジタルデータで構成される。また、時間的に、データヘッダ部２００が先頭で伝送され、その後は、圧縮映像データ部とパリティ部が交互に番組の終わりまで、即ち２１１、２２１、２１２、２２２、…の順に伝送される。なお、番組途中からの受信を考慮するならば、データヘッダ部は映像信号の先頭のみではなく、特定の時間毎に挿入するのが望ましい。
【００２３】
図１において、１００は中継局から送信された配給番組を受信する１次端末であり、１０１は中継局からの映像信号を１次端末に入力する入力端子、１０２は１次端末１００における番組受信料の課金情報を出力する出力端子、１０３は１次端末１００においてスクランブルを施した映像信号を出力する出力端子、１１１は入力端子１０１から入力された映像信号をディジタル復調する復調回路、１１２は復調回路１１１でディジタル復調された映像信号から番組情報等を含むデータヘッダ、圧縮映像データの復号に必要なキー信号等を分離する分離回路、１１３は中継局から送信された映像信号が正しく受信されたかどうかを確認するためのエラーチェッカ、１１４は分離回路１１２で分離された番組情報、及びエラーチェッカ１１３での受信チェックの結果を元に番組受信料金の課金情報を作成する課金器、１１５は１次端末１００、若しくは１次端末１００を有する契約者を識別可能な、端末固有の識別コードを記憶しておくメモリ、１１６は分離回路１１２で分離されたキー信号とメモリ１１５に記憶されている端末識別コードとを重畳し、暗号化するスクランブラ、１１７はエラーチェッカ１１３から出力される圧縮映像データと、スクランブラ１１６から出力されるキー情報とを時間軸多重する多重化回路である。
【００２４】
また、１５０は１次端末１００と対をなす２次端末で、１５１は１次端末においてスクランブルを施された映像信号を入力する入力端子、１６１は入力された映像信号からキー情報を抽出する抽出回路、１６２は抽出回路１６１で抽出されたキー情報のスクランブルを解除し、重畳されている復号用キーと１次端末の固有の端末識別コードとを分離するデスクランブラ、１６３は２次端末１５０と対をなす１次端末、即ち、１次端末１００の端末識別コードを記憶しておくメモリ、１６４はデスクランブラ１６２で分離された端末識別コードとメモリ１６３に記憶されている端末識別コードとを比較する比較器、１６５はデスクランブラ１６２から出力される復号キーを入力し、比較器１６４の出力に応じて出力を制御するスイッチ、１６６はスイッチ１６５から出力される復号キーを用いて圧縮映像信号の復号を行う復号回路、１６７は復号されたディジタル映像信号をアナログ信号に変換すすＤ／Ａ変換器、１６８はアナログ信号に変換された番組映像を表示するモニタである。
【００２５】
図６の中継局６２０からケーブル６３０を通じて送信された映像信号は、図１（Ａ）の１次端末１００の入力端子１０１に入力される。入力端子１０１に入力された映像信号は、まず復調回路１１１に入力され、ディジタル復調されて出力される。復調回路１１１から出力された映像信号は次に分離回路１１２に入力され、映像信号のデータヘッダ、即ち図２におけるデータヘッダ部２００が分離され、圧縮映像データ、及びパリティがエラーチェッカ１１３に、データヘッダ部内に含まれる復号キーがスクランブラ１１６に、同じく番組情報が課金器１１４にそれぞれ出力される。
【００２６】
圧縮映像データ、及びパリティは次にエラーチェッカ１１３に入力され、ここで圧縮映像データが正しく受信できたかどうかの確認が行われる。本実施例では、１例として図２におけるパリティ部２２１、２２２等にＣＲＣ符号を用いてエラーのチェックを行う。即ち、中継局側において映像データの送信を行う前に特定の演算式を用いて圧縮映像データに演算を施し、その結果得られるエラー検出用符号をパリティとして圧縮映像データに付加して送信する。一方、受信端末側、即ち１次端末１００においては、受信した圧縮映像データを送信側と同じ演算式を用いて演算し、その結果をパリティと比較する。演算結果がパリティと等しければ圧縮映像データは正しく送受信された事になる。なお、本エラーチェッカ１１３で必要なエラーチェック用符号はＣＲＣ符号に限らず、リードソロモン符号や、単純パリティ符号、ＢＣＨ符号等でもよい。更に、これらのエラー訂正符号を用いることにより、伝送エラーの程度により、軽微なものであれば訂正が可能となる。
【００２７】
ＣＲＣ符号等を用いたエラーチェックの結果はエラーチェッカ１１３から出力され、分離回路１１２から出力された番組情報とともに、課金器１１４に入力される。この課金器１１４ではエラーチェッカ１１３から出力されるエラー情報、及び受信した映像信号に付加されている番組情報を元に、契約者に対する受信料金の課金情報を作成する。例えば、番組情報に番組名、番組のジャンル、及び制作会社名、著作権者名等を含ませることにより、ニュース、映画等の番組のジャンルにより受信料を変動させたり、ＶＯＤサービス等では、契約者からの制作会社や著作権者に対する受信料金、及びサービス料金の支払い等をスムーズに行える。一方、エラー情報を用いれば、例えば通信経路の状態に応じて、伝送エラーが多く番組視聴に支障を来すような場合には受信料金を割り引く、又は全く課金しない等、契約者の受信状況に応じたサービスが可能となる。例えば、伝送エラーを生じた場合には、そのエラー情報を中継局に送信してエラー部分の映像信号の再送信を促すようにする事もできる。なお、上記のエラーチェッカ１１３はエラーフリー、即ちデータ伝送エラーを生じない通信経路を用いる場合は不要なのはいうまでもない。
【００２８】
課金器１１４で作成された課金情報は出力端子１０２から出力され、中継局、又は有線放送会社等に電話回線、あるいは他の専用回線、ケーブルを通じて送信される。更には、１次端末１００の入力端子１０１に接続されている、映像信号受信用伝送ケーブルが双方向通信可能なケーブルであれば、課金情報送信用として共用可能となる。この場合、入力端子１０１を入出力共用端子に変更し、課金器１１４の出力を入出力端子から出力すればよい。この場合、中継局と各契約家庭を接続する通信ケーブルの本数を削減できるばかりでなく、ＶＯＤシステム等の番組リクエストに代表される双方向通信サービス等にも、容易に対応可能となる。又、番組の受信チェックにより正確な視聴率調査等も可能となる。
【００２９】
課金器１１４において課金情報を作成する一方、分離回路１１２から出力された映像信号復号用のキー信号はスクランブラ１１６に入力される。スクランブラ１１６では、入力されたキー信号にスクランブルをかけ、更にメモリ１１５に記憶されている１次端末１００固有の端末識別コードを多重する。ここで、端末識別コードは、例えば２進数等を用いればよい。この場合、存在する全ての端末に異なる数値を割り当てられる事が最も好ましいが、実際には１０〜２０ビット程度の２進数で、端末識別番号の重複をほぼ防止できる。
【００３０】
スクランブラ１１６でスクランブルをかけられ、端末識別コードと重畳されたキー情報は、圧縮映像データと共に多重化回路１１７に入力される。ここで圧縮映像データとキー情報が時間軸多重され、出力端子１０３から出力される。
【００３１】
図３にキー情報と圧縮映像データを時間軸多重した信号の簡単な構成例を示す。図において、３０１はそれぞれキー情報を、３１１、３１２、３１３等は圧縮映像信号を示す。図３に示した構成例ではＶＴＲ等の記録媒体に記録され、磁気テープ上の番組途中から再生が始められることも考慮し、一定時間毎に、具体的には少なくとも５分に１回程度、できればそれ以上の頻度でキー情報３０１を挿入する。このようにすれば、例えば磁気テープ上、圧縮映像データ３１２の途中から再生開始された場合でも、圧縮映像データ３１２はキー情報が無いため復号できないが、圧縮映像データ３１３からは映像信号を復号することができる。なお、使用する映像信号記録再生装置がレーザーディスク、光磁気ディスク、又はハードディスク等、ランダムアクセス可能な映像信号蓄積装置であるならば、キー情報３０１は１ヶ所のみでも番組途中からの再生が可能となる。ただし、この場合も記録媒体上でエラーが生じることを考慮すると、キー情報３０１は少なくとも２ヶ所以上に記録しておくことが望ましい。
【００３２】
図１（Ａ）の１次端末１００の出力端子１０３から出力された信号は直接、あるいはＶＴＲ等の映像信号記録再生装置を経由して、図１（Ｂ）の２次端末１５０の入力端子１５１に入力される。入力された圧縮映像データとキー情報の多重された信号は、抽出回路１６１で圧縮映像データとキー信号とが分離され、キー信号は次にデスクランブラ１６２において１次端末でかけられたスクランブルを解除され、復号キーはスイッチ１６５に、１次端末において付加された端末識別コードは比較器１６４にそれぞれ出力される。
【００３３】
比較器１６４のもう一方の入力端にはメモリ１６３に記憶されている、２次端末に予め設定されている端末識別コードが入力され、その内容を比較される。この端末識別コードは前述のように、１組の端末がそれぞれ組毎に固有で、かつ対をなす１次端末と２次端末とでは同じコードを持っている。したがって、この比較器１６４において１次側から送信されてきた端末識別コードと２次側の端末識別コードとを比較することにより、入力端子１５１に入力された圧縮映像データがこの２次端末１５０と対をなす１次端末、即ち１次端末１００により受信されたものかどうかの判断が可能となる。
【００３４】
比較器１６４における端末識別コードの比較結果はスイッチ１６５に出力される。又、デスクランブラ１６２から出力された圧縮映像信号復号用のキー信号は、スイッチ１６５において、比較器１６４の出力結果に応じてその出力を制御される。即ちスイッチ１６５は、比較器１６４での比較結果、端末識別コードが一致した場合には復号キーを復号回路１６６に出力し、不一致の場合には出力しない。
【００３５】
復号回路１６６には分離回路１６１でキー情報と分離された圧縮映像データが入力される。復号回路１６６において圧縮映像信号はスイッチ１６５から入力される復号キーを用いて圧縮映像データの復号が行われる。ただし、比較器１６４における端末識別コードの比較結果が不一致の場合には、スイッチ１６５からは復号キーが出力されないため、復号回路１６６において圧縮映像データの復号は行われない。即ち、この２次端末１５０と対をなす１次端末１００で受信した映像信号以外はこの復号回路１６６において圧縮データの復号を行うことはできない。
【００３６】
復号回路１６６から出力された、復号された映像信号は次にＤ／Ａ変換器１６７においてアナログ信号に変換され、モニタ１６８にその映像が表示される。復号回路１６６で復号できなかった映像信号は、モニタ１６８でその映像を正しく表示することはできず、したがって、番組映像の視聴は不可能となる。
【００３７】
以上のように、本発明のシステムを有料放送受信用端末として用いることにより、視聴者にたいして有料番組受信料を即時に課金することができ、又その他の視聴者に対しては不正受信の防止を図ることができる。
【００３８】
次に、本発明の別の実施例を図４を用いて説明する。
【００３９】
図４は図１に示した、本発明における１次端末１００と異なる構成を持つ１次端末のブロック図である。図４において、４００は１次端末本体、４０１は中継局から送信された映像信号を入力する入力端子、４０２は課金情報を出力する出力端子、４０３は不正受信防止処理を施された映像信号が出力される出力端子、４１１は入力端子４０１から入力された映像信号を復調する復調回路、４１２は復調された映像信号から番組情報等のヘッダ部を分離する分離回路、４１３は中継局から送信されてくる映像データが正しく受信できたかどうかを確認するエラーチェッカ、４１４はエラーチェッカで確認される受信状況と分離回路から出力される番組情報に応じて課金情報を作成する課金器、４１５は受信した映像信号を圧縮符号化する符号化回路、４１６は端末、若しくは端末を有する契約者を識別可能な、固有の端末識別コードを記憶するメモリ、４１７は符号化回路４１５から出力される、復号に必要なキー信号にスクランブルをかけ、端末識別コードと重畳するスクランブラ、４１８は符号化回路４１５から出力される圧縮映像データとスクランブラ４１７から出力されるキー情報とを時間軸多重する多重化回路である。
【００４０】
図４における１次端末４００は、中継局から送信される映像信号が圧縮符号化等の処理を施されていない映像信号に対する処理を行う場合の１次端末の構成例である。なお、この場合も契約視聴者に対し課金を行うための番組情報、エラーチェック用の信号等が必要になるが、これらの情報は専用の時間的スペースを設けて挿入してもよいし、この場合映像信号の水平、あるいは垂直走査期間等に挿入してもよい。
【００４１】
図４において、中継局から送信された映像信号は入力端子４０１から入力され、分離回路４１１において垂直走査期間等に挿入されている番組情報を分離し、映像信号はエラーチェッカ４１３に、番組情報は課金器４１４にそれぞれ出力される。エラーチェッカ４１３では受信した映像信号のエラーの有無を確認し、結果を課金器４１４に出力する。このエラーチェックは例えば水平走査期間、又は垂直走査期間毎に特定の信号を挿入し、エラーチェッカ４１３において既知の特定信号の検出を行い、その特定信号の有無を確認する、又は水平走査期間にパリティを挿入する、等によって行う。
【００４２】
課金器４１４では前述の第１の実施例と同様にして課金情報を作成し、出力端子４０２から中継局等へ出力する。一方、映像信号は符号化回路４１５に入力され圧縮符号化を行われる。この後、圧縮映像データは多重化回路に、圧縮映像データの復号の際に必要となるキー信号はスクランブラ４１７に出力される。スクランブラ４１７には符号化回路４１５から復号キー、メモリ４１６から端末識別コードが入力され、双方の信号が重畳されてスクランブルを施される。なお、ここで用いられる端末識別コードも前述の第１の実施例で述べたものと同様のものを用いる。更に多重化回路４１８において符号化回路４１５から出力される圧縮映像データとスクランブラ４１７から出力されるキー情報とが時間軸多重されて出力端子４０３から出力される。２次端末側の構成、及び機能は前述の第１の実施例と同様であるため、省略する。
【００４３】
上記の第２の実施例に述べた構成とすることにより、中継局から送信される映像信号が圧縮符号化されたものでなくとも、契約者に対する課金、及び第３者に対する不正受信の防止が可能となる。又、中継局から送信される映像信号がアナログ信号であっても、復調回路４１１の直前にチューナを、復調回路４１１の直後、又は符号化回路４１５の直前にＡ／Ｄ変換器を備えることにより対応可能である。
【００４４】
次に、本発明のまた別の実施例を図５を用いて説明する。
【００４５】
図５において、５５０は本発明における２次端末本体、５５１は１次端末の出力が直接、あるいはＶＴＲ等の映像信号記録再生装置を経由した信号が入力される入力端子、５５２は復号した番組映像をモニタに出力する出力端子、５６１は入力された映像信号からキー情報を抽出する抽出回路、５６２は抽出回路５６１で抽出されたキー情報のスクランブルを解除し、圧縮映像信号復号用キー信号と端末識別コードとを分離するデスクランブラ、５６３は端末識別コードを予め記憶しておくメモリ、５６４はデスクランブラ５６２で分離された端末識別コードとメモリ５６３に記憶されている端末識別コードとを比較する比較器、５６５はデスクランブラ５６２から復号キーを入力し、比較器５６４の出力に応じてその出力を制御するスイッチ、５６６はスイッチ５６５から出力される復号キーを用いて圧縮映像信号の復号を行う復号回路、５６７はＤ／Ａ変換器、５６８は出力端子５５２から出力される映像信号に対して、ＶＴＲ等の映像信号記録再生装置に記録できないような信号処理を行うコピーガード回路、５７０は２次端末５５０から出力される映像信号を表示するモニタである。
【００４６】
図中５６１〜５６７の各回路は図１（Ｂ）の１６１〜１６７の各回路と同様の動作をするため詳しい説明は省略する。
【００４７】
図５において、２次端末５５０の入力端子５５１には図１（Ａ）、又は図４のブロック図に示したような１時端末から出力された、圧縮映像データとキー情報が時間軸多重された信号が直接、又はＶＴＲ等の映像信号記録再生装置を経由して入力される。入力された信号は抽出回路５６１、デスクランブラ５６２、メモリ５６３、比較器５６４、スイッチ５６５、復号回路５６６、Ｄ／Ａ変換器５６７においてそれぞれ図１の１６１〜１６７の各回路と同様の処理、即ち、１次端末側の端末識別コードの確認、圧縮映像データの復号、アナログ信号への変換等を行われて出力される。Ｄ／Ａ変換器５６７から出力されたアナログ映像信号は次に、コピーガード回路５６８に入力される。このコピーガード回路において、映像信号の同期信号部分に処理を施して出力端子５５２から出力する。即ち、本実施例に示す回路構成の２次端末においては、番組映像を表示する装置として外部に市販モニタを持っている。このため、２次端末の出力端子５５２とモニタ５７０の間で、不正受信防止用の信号処理が必要となる。ここでは、ＶＴＲ等の映像信号記録再生装置に記録する必要はないため、コピーガード回路５６８においてモニタによる表示は可能であるが、ＶＴＲ等への記録は不可能となる処理、即ち、モニタには同期するがＶＴＲ等には同期しないように映像信号の同期部分を変更する。
【００４８】
本実施例に述べた回路構成とすれば、前述の実施例と同様の効果を得られるばかりでなく、更に番組映像の表示装置として既存のＴＶモニタ等の装置が使用可能となる。
【００４９】
又、本発明の別の実施例を図７に示す。
【００５０】
図７は専用受信端末を１次側、２次側と分割せずに１台とした場合の構成例である。図において、７００は中継局から送信された配給番組を受信する専用端末であり、７０１は中継局からの映像信号を入力する入力端子、７０２は専用端末７００における番組受信料の課金情報を出力する出力端子、７０３はＶＴＲ等の映像信号記録再生装置にスクランブルを施した映像信号を出力する出力端子、７０４はＶＴＲ等の映像信号記録再生装置からスクランブルを施された映像信号を入力する入力端子、７０５はモニタ等の表示装置に番組映像を出力する出力端子、７１１は入力端子７０１から入力された映像信号をディジタル復調する復調回路、７１２は復調回路７１１でディジタル復調された映像信号から番組情報等を含むデータヘッダ、圧縮映像データの復号に必要なキー信号等を分離する分離回路、７１３は中継局から送信された映像信号が正しく受信されたかどうかを確認するためのエラーチェッカ、７１４は分離回路７１２で分離された番組情報、及びエラーチェッカ７１３での受信チェックの結果を元に番組受信料金の課金情報を作成する課金器、７１５は専用端末７００、若しくは専用端末７００を有する契約者を識別可能な、端末固有の識別コードを記憶しておくメモリ、７１６は分離回路７１２で分離されたキー信号とメモリ７１５に記憶されている端末識別コードとを重畳し、暗号化するスクランブラ、７１７はエラーチェッカ７１３から出力される圧縮映像データと、スクランブラ７１６から出力されるキー情報とを時間軸多重する多重化回路、７２１は入力端子７０４から入力された映像信号からキー情報を抽出する抽出回路、７２２は抽出回路７２１で抽出されたキー情報のスクランブルを解除し、圧縮映像信号復号用キー信号と端末識別コードとを分離するデスクランブラ、７２３はデスクランブラ７２２で分離された端末識別コードとメモリ７１５に記憶されている端末識別コードとを比較する比較器、７２４はデスクランブラ７２２から復号キーを入力し、比較器７２３の出力に応じてその出力を制御するスイッチ、７２５はエラーチェッカ７１３から出力される圧縮映像データと抽出回路７２１から出力される圧縮映像データとを入力し、一方を選択出力する第１の選択器、７２６は分離回路７１２から出力される復号キーとスイッチ７２４から出力される復号キーとを入力し、一方を選択出力する第２の選択器、７２７は第２の選択器７２６から出力される復号キーを用いて第１の選択器から出力される圧縮映像データの復号を行う復号回路、７２８はＤ／Ａ変換器、７２９は出力端子７０５から出力される映像信号に対して、ＶＴＲ等の映像信号記録再生装置に記録できないような信号処理を行うコピーガード回路、７５０はＶＴＲや、光磁気ディスク、ハードディスク等の映像信号を蓄積可能な映像信号記録再生装置、７６０は専用端末７００から出力される映像信号を表示するモニタである。なお、図中７１１〜７１７は図１の１１１〜１１７と、７２１〜７２４、７２７〜７２９は図５の５６１、５６２、５６４〜５６８と同様の動作を行う回路である。
【００５１】
図において、図６の中継局６２０からケーブル６３０を経由して送信されてくる映像信号は専用受信端末７００の入力端子７０１から入力され、復調回路７１１、分離回路７１２、エラーチェッカ７１３、課金器７１４において、ディジタル復調、番組情報、及び復号キーの分離、伝送エラーの有無の確認、及び受信料課金情報の作成が行われる。なお、ここでの処理に関しては図１に示した第１の実施例の対応する番号の回路における処理と同様であるため、詳しい説明は省略する。
【００５２】
エラーチェッカ７１３から出力された圧縮映像データは多重化回路７１７、及び第１の選択器７２５に、又分離回路７１２から出力された復号キーはスクランブラ７１６、及び第２の選択器７２６にそれぞれ出力される。
【００５３】
スクランブラ７１６に入力された復号キー、及び多重化回路７１７に入力される圧縮映像データは、このスクランブラ７１６、多重化回路７１７において、メモリ７１５に記憶されている端末識別番号と復号キーとの多重、更に圧縮映像データとの時間軸多重を施される。このスクランブラ７１６、多重化回路７１７における処理も第１の実施例における処理と同様であるので詳しい説明を省略する。前述の、復号情報を多重された圧縮映像データは出力端子７０３から出力されて、映像信号記録再生装置７５０に入力され、ここで映像信号は蓄積媒体への記録、保存が可能となる。
【００５４】
映像信号記録再生装置７５０から出力された信号は入力端子７０４から入力され、まず抽出回路７２１においてキー情報が抽出されてデスクランブラ７２２に、圧縮映像データは第１の選択器７２５にそれぞれ出力される。デスクランブラ７２２に入力されたキー情報は、図５での説明と同様に、スクランブルを解除された後に復号キーと端末識別コードが分離され、端末識別コードは比較器７２３においてメモリ７１５の記憶内容と比較される。一方、復号キーはスイッチ７２４に入力され、比較器７２３の出力によりその出力を制御され、その出力は第２の選択器７２６に入力される。
【００５５】
第１の選択器７２５と第２の選択器７２６は常に連動する。即ち、第１の選択器７２５がエラーチェッカ７１３の出力を選択出力する場合には第２の選択器７２６では分離回路７１２から出力される復号キーを選択出力する。逆に、第１の選択器において抽出回路７２１の出力を選択出力する場合には、第２の選択器７２６はスイッチ７２４から出力される復号キーを選択出力する。即ち、この２つの選択器７２５、及び７２６は、専用受信端末７００の外部に何等かの映像信号記録再生装置が接続され、かつ入力端子７０４から映像信号データが入力されてくる場合には、それぞれ外部の映像信号記録再生装置から再生されてくる圧縮映像データ、及び復号キーを選択出力する。又、それ以外の場合には、２つの選択器７２５、７２６はそれぞれエラーチェッカ７１３、及び分離回路７１２から出力される圧縮映像データ、及び復号キーを選択出力する。
【００５６】
第１の選択器７２５から出力された圧縮映像データは復号回路７２７において、第２の選択器７２６から出力される復号キーを用いて復号される。更に、Ｄ／Ａ変換器７２８、コピーガード回路７２９において処理を施されるが、ここでの処理は図５における処理と同様であるので詳しい説明を省略する。
【００５７】
受信端末を上記の実施例を用いて説明した構成としても前述した他の実施例と同様の効果、即ち契約者に対する番組受信状況に応じた受信料の課金、及び第３者に対する不正受信の防止が可能となる。更に、本実施例の構成とすることにより、受信端末内に用意する端末識別コードを記憶用メモリも１個ですむ。又、受信端末を１次端末、２次端末と分割する必要がなくなり、設置場所等の省スペースが図れる。特に、ＶＴＲ等の映像信号記録再生装置を使用しない契約者には、１次、２次端末間の配線、及びケーブルも不要になる等の利点もある。
【００５８】
又、以上の実施例では何れも中継局からの配給番組が有線通信ケーブルを用いて送信される場合について説明したが、本発明は電話回線等のその他のケーブル、又地上波放送、衛星放送にかかわらず、又アナログ伝送、ディジタル伝送にかかわらず適用可能である事はいうまでもない。
【００５９】
又、図２に示した映像信号のデータ構成はあくまでも１例であり、これらの構成以外の形であっても何等問題はない。ただし、中継局から送信される映像信号では、番組情報を示すデータヘッダ部とパリティ部は必要であるが、エラーフリーの伝送路ではパリティ部は無くともよい。又、受信料の課金を考慮せずに不正受信の防止にのみ着目すれば、現行放送の信号構成にも対応可能である。又、図３に示した１次、２次端末間のデータ構成も圧縮映像データ間に適宜キー情報を挟みこむ形であれば他に制限はない。又、１次、２次間の映像データは必ずしも圧縮データである必要はなく、データ圧縮を用いない場合には不正受信を防止するために、映像データにデータ圧縮以外の何等かのスクランブルをかける必要がある。
【００６０】
【発明の効果】
本発明によれば、コピーガード処理して出力することにより、ＶＴＲ等の映像信号記録再生装置を用いた番組記録媒体の複写、及びそれに伴った第３者による不正な受信を防止し、番組制作会社、著作権者等の利益を保護することができる。
【図面の簡単な説明】
【図１】本発明の第１の実施例を説明する映像信号受信用端末のブロック図である。
【図２】本発明の実施例における、番組中継局から送信されてくる映像信号のデータ構成の１例を示す図である。
【図３】本発明の実施例における、１次、２次端末間を送信される映像信号のデータ構成の１例を示す図である。
【図４】本発明の第２の実施例を説明するための、１次端末のブロック図である。
【図５】本発明の第３の実施例を説明するための、２次端末のブロック図である。
【図６】有線放送のシステムを説明するための説明図である。
【図７】本発明の第４の実施例を説明する映像信号受信用端末のブロック図である。
【符号の説明】
１００…１次端末、１１２…分離回路、１１３…エラーチェッカ、１１４…課金器、１１５、１６３…メモリ、１１６…スクランブラ、１１７…多重化回路、１５０…２次端末、１６１…抽出回路、１６２…デスクランブラ、１６４…比較器、１６５…スイッチ、１６６…復号回路、１６８…モニタ
【図１】
0003675442.tif 000002
【図２】
0003675442.tif 000003
【図３】
0003675442.tif 000004
【図４】
0003675442.tif 000005
【図５】
0003675442.tif 000006
【図６】
0003675442.tif 000007
【図７】
0003675442.tif 000008